(57)【要約】【課題】スプーンを使用して缶蓋に設置のすりきり板を利用して内容物のすりきり計量を実施したときに、内容物が缶蓋のパネル部上にのりあがるのを防止する対策を講じた容器の蓋を提供する。【解決手段】缶などの容器Ｂのパネル部Ｂ２に、開口とすりきり板部Ｂ３を設けた容器Ｂの開口部へ被せ密封する天板部１と筒状の側壁部２を有する合成樹脂材でできた容器の蓋Ａであって、前記容器の蓋Ａには容器本体Ｂに固着される固定蓋部８と開閉が可能な開閉蓋部７とからなり、前記固定蓋部８と前記開閉蓋部７の境界位置にヒンジ部４を設置するとともに、前記固定蓋部５の裏面の前記ヒンジ部４と平行の位置に飛散防止カバー板３を設置した容器の蓋である。【選択図】図１
2008127077.tif 000002
【特許請求の範囲】
【請求項１】
缶容器の開口部に開口とすりきり板を設けた容器の開口部へ被せ密封する合成樹脂材でできた容器の蓋であって、前記容器の蓋は上面の天板部と、前記天板部の外周から下端へ延出した環状の側壁部からなり、容器の開口部に設置した時に前記開口部に固着される固定蓋部と上下の開閉が可能な開閉蓋部を有し、前記固定蓋部と前記開閉蓋部の境界位置で第一薄肉部を介して連結されたヒンジ部を前記天板部に設置するとともに、前記ヒンジ部との延長線上の位置であって前記ヒンジ部を起点として前記開閉蓋部を開閉する時に側壁部の２箇所に縦方向に切断できる第二薄肉部を有する切断部を側壁部に設け、前記固定蓋部の裏面の前記ヒンジ部と平行で、前記ヒンジ部に近接する位置に前記固定蓋部側寄りに下端へ傾斜し延出した飛散防止カバー板を設置し、前記飛散防止カバー板の先端が前記缶蓋のすりきり板に接することを特徴とする容器の蓋。
【請求項２】
側壁部から下端へ延出した環状の下壁部と、前記下壁部と側壁部の間を連結する第三薄肉部と、一端が前記下壁部と一体に形成された切離用摘み部とから成り、前記摘み部を周方向に摘むことにより前記第三薄肉部の位置で前記下壁部が前記側壁部から分離自在とすることを特徴とする請求項１に記載の容器の蓋。
【請求項３】
側壁部に設けた切断部における開閉蓋部側の切断面となる係止部が容器の開口部の上端縁部に乗り上がり静止し開口状態を維持できることを特徴とする請求項１または請求項２に記載の容器の蓋。
【請求項４】
可撓性のある合成樹脂材がポリエチレンであることを特徴とする請求項１乃至請求項３記載の容器の蓋。
【発明の詳細な説明】
【技術分野】
【０００１】
本発明は、主に粉状、粒状などの内容物が密封包装されていているもの、例えば、粉ミルクなどが入った容器の蓋に関するものである。
【背景技術】
【０００２】
すりきり板部とシール部材との間への粉体食品の侵入を防止して、開封操作時の粉体食品の飛び散りを防止することができる缶蓋として特許文献１記載の缶容器に巻締められる缶蓋のパネル部に、開口部とすりきり板部を設けた缶蓋が提案されている。
【０００３】
また、特許文献１に記載の缶蓋を設置した缶容器などに装着する缶体用外蓋であって、未開封の状態にあるときに外蓋が取り外される悪戯を確実に防止し、第２スカート部の切除作業を容易に行うことができる缶体用外蓋として、特許文献２に記載の開封時にスコアを介して切除される第２スカート部破断開始部に把持片を設け、前記把持片の内側面に指掛け用の突起を設け、破断開始スコアの上側に沿って第２スカート部の外面に突出する凸条を設けた缶体用外蓋が提案されている。
【０００４】
更に、無理やり開蓋した場合にその開蓋を見分けることができ、且つヒンジ部により固定蓋部と開閉蓋部を持った容器として、特許文献３に記載の固定蓋部の内面及び開閉蓋部の舌片部内面に缶巻締め突部が係止する凸部を形成し、下側周側縁部の内周面に凸条部が係止する隆起部１４及び薄肉部を形成すると共にこの上側周側縁部と下側周側縁部との間に切除可能溝を設けた密閉型容器が提案されている。
【０００５】
【特許文献１】特開２００１−１３０５６１号公報
【特許文献２】特開２０００−２５８０３号公報
【特許文献３】特開平１０−５９３９２号公報
【発明の開示】
【発明が解決しようとする課題】
【０００６】
粉状、粒状などの内容物を特許文献１に記載の缶容器から取りだす場合は、計量スプーンを使用し前記内容物をすくい取り、パネル部に設置されたすりきり板部を利用して前記計量スプーン内に盛り上がった内容物のすりきり計量を行うが、前記計量スプーン内に入っている粉状、粒状などの内容物が前記すりきり板部にあててすりきり計量を実施することで、計量スプーン内で盛り上がっていた余分な内容物が、缶容器内に落ちずに前記パネル部上にのりあがってしまうものがある。次に利用する時も同様で、同じ動作を繰り返して前記内容物の取り出しを行うため、その時も新たな内容物が前記すりきり板部にあててすりきり計量を実施することで、缶容器内に落ちずに前記パネル部上にのりあがってしまうため、その動作の繰り返しが続くと前記パネル部上にはたくさんの内容物がのりあがってしまう。この状態で前記容器の蓋の開閉を繰り返し行うと、パネル部にのりあがった内容物が外へ飛び散ったり、外部からの湿気による浸入で前記パネル部にのりあがった内容物が前記パネル部に付着して不衛生となり、使用する消費者自身もパネル部にのりあがった内容物に対して不快感を感じてしまう。
【０００７】
また、内容物が粉ミルクやコーヒーなどの場合は外部からの湿気・臭いに弱いため、特許文献２に記載の缶体用外蓋のように缶容器と容器の蓋の嵌合する部分は気密性を持たせる構造を有する容器の蓋が装着されているが、缶容器の開口部と前記開口部に嵌合させる前記容器の蓋の嵌合部との密着性を高める構造であるので、前記容器の蓋を手指を使用して開封する時に上に押し上げて開封する力が必要になるため、前記パネル部にのりあがっている内容物が容器の蓋を開封するときの振動で缶容器の外へ飛び散りやすくなり、外へ飛び散った内容物の掃除に手間がかかる上、内容物を取り出すときに前記缶体用外蓋をホコリがついた机や水滴が付着している台所の台上へおく必要があり衛生的ではない。
【０００８】
更に、ホコリがついた机や水滴が付着している台所の台上へおく必要がない容器の蓋として、特許文献３に記載の密閉型容器が提案させているが、前記密閉型容器の蓋のように固定蓋部と開閉蓋部を有する容器の蓋を特許文献１に記載の缶容器に装着した場合、特許文献２に記載の缶体用外蓋と同様に、缶容器から内容物を計量スプーンを使用して前記すりきり板部にあててすりきり計量を実施しながら取り出すので、計量スプーン内で盛り上がっていた余分な内容物がすりきり計量することで缶容器内に落下するが、一部の内容物は落下せずに前記パネル部上にのりあがってしまうため、容器の蓋の開閉の繰り返しでパネル部にのりあがった内容物が外へ飛び散ったり、外部からの湿気による浸入で前記パネル部にのりあがった内容物が前記パネル部に付着して不衛生となり、使用する消費者自身もパネル部にのりあがった内容物に対して不快感を感じてしまう。
【０００９】
本発明の目的は、上記課題を解決し、缶容器から内容物を計量スプーンを使用して取りだす場合に前記すりきり板部にあててすりきり計量を実施した場合に、計量スプーン内で盛り上がっていた余分な内容物が前記パネル部上にのりあがるのを防止する対策を講じた容器の蓋を提供することである。
【課題を解決するための手段】
【００１０】
本発明は、缶容器の開口部に開口とすりきり板を設けた容器の開口部へ被せ密封する合成樹脂材でできた容器の蓋であって、前記容器の蓋は上面の天板部と、前記天板部の外周から下端へ延出した環状の側壁部からなり、容器の開口部に設置した時に前記開口部に固着される固定蓋部と上下の開閉が可能な開閉蓋部を有し、前記固定蓋部と前記開閉蓋部の境界位置で第一薄肉部を介して連結されたヒンジ部を前記天板部に設置するとともに、前記ヒンジ部との延長線上の位置であって前記ヒンジ部を起点として前記開閉蓋部を開閉する時に側壁部の２箇所に縦方向に切断できる第二薄肉部を有する切断部を側壁部に設け、前記固定蓋部の裏面の前記ヒンジ部と平行で、前記ヒンジ部に近接する位置に前記固定蓋部側寄りに下端へ傾斜し延出した飛散防止カバー板を設置し、前記飛散防止カバー板の先端が前記缶蓋のすりきり板に接する容器の蓋である。
【００１１】
また本発明は、側壁部から下端へ延出した環状の下壁部と、前記下壁部と側壁部の間を連結する第三薄肉部と、一端が前記下壁部と一体に形成された切離用摘み部とから成り、前記摘み部を周方向に摘むことにより前記第三薄肉部の位置で前記下壁部が前記側壁部から分離自在とする容器の蓋である。
【００１２】
更に本発明は、側壁部に設けた切断部における開閉蓋部側の切断面となる係止部が容器の開口部の上端縁部に乗り上がり静止し開口状態を維持できる容器の蓋である。
【００１３】
また本発明は、可撓性のある合成樹脂材がポリエチレンである容器の蓋である。
【発明の効果】
【００１４】
本発明は、缶容器の開口部に開口とすりきり板を設けた容器の開口部へ被せ密封する合成樹脂材でできた容器の蓋であって、前記容器の蓋は上面の天板部と、前記天板部の外周から下端へ延出した環状の側壁部からなり、容器の開口部に設置した時に前記開口部に固着される固定蓋部と上下の開閉が可能な開閉蓋部を有し、前記固定蓋部と前記開閉蓋部の境界位置で第一薄肉部を介して連結されたヒンジ部を前記天板部に設置するとともに、前記ヒンジ部との延長線上の位置であって前記ヒンジ部を起点として前記開閉蓋部を開閉する時に側壁部の２箇所に縦方向に切断できる第二薄肉部を有する切断部を側壁部に設け、前記固定蓋部の裏面の前記ヒンジ部と平行で、前記ヒンジ部に近接する位置に前記固定蓋部側寄りに下端へ傾斜し延出した飛散防止カバー板を設置し、前記飛散防止カバー板の先端が前記缶蓋のすりきり板に接する容器の蓋であるので、缶容器から内容物を計量スプーンを使用して取りだす場合に前記すりきり板部にあててすりきり計量を実施した場合に、計量スプーン内で盛り上がっていた余分な内容物が前記パネル部上にのりあがるのを防止する容器の蓋を提供することができる。
【００１５】
また本発明は、側壁部から下端へ延出した環状の下壁部と、前記下壁部と側壁部の間を連結する第三薄肉部と、一端が前記下壁部と一体に形成された切離用摘み部とから成り、前記摘み部を周方向に摘むことにより前記第三薄肉部の位置で前記下壁部が前記側壁部から分離自在とする容器の蓋であるので、前記下壁部を拡張して容器の開口部へ圧入し装着することで、容器の外周径に沿って収縮した前記下壁部が容器へ密着し容器と下壁部の密着部分に手指かけ空隙ができないため、手指のかかりを防止するために形成される溝状の円周突起などを設けていない缶容器にも装着することができ、無理矢理本発明である容器の蓋を取り外そうとすれば、前記下壁部と容器に破壊された傷跡が残るためイタズラ行為の有無を容易に知ることができる。
【００１６】
更に本発明は、側壁部に設けた切断部における開閉蓋部側の切断面となる係止部が容器の開口部の上端縁部に乗り上がり静止し開口状態を維持できる容器の蓋あるので、内容物を取り出すときに、片方の手で開閉蓋部を押えておく必要がない上に、開閉蓋部を開くときに無理な開き角度によるヒンジ部からの割れを防止することもできる。
【００１７】
また本発明は、可撓性のある合成樹脂材がポリエチレンである容器の蓋であるので、缶容器と容器の蓋との密封性が高く、外部からの湿気・臭いに弱い粉ミルクやコーヒーなどの内容物であっても湿気の浸入を防ぐことができ、また、コーヒーなどの香りの流出を防ぐことができる。更に、容器の蓋の裏面に一体化して成形された飛散防止カバー板も可撓性を有するので、前記飛散カバー板の先端が前記缶蓋のすりきり板の上で撓り、前記すりきり板とより密着しあい接するので、缶容器から内容物を計量スプーンを使用して取りだす場合に前記すりきり板部にあててすりきり計量を実施した場合に、計量スプーン内で盛り上がっていた余分な内容物が前記パネル部上にのりあがるのを防止し、前記内容物を容器内へ落とすことができる。
【発明を実施するための最良の形態】
【００１８】
図１乃至図５において、缶などの容器Ｂに巻き締められる缶蓋のパネル部Ｂ２に、粉ミルクやコーヒーなどの粉状、粒状の内容物を計量スプーンなどを利用してすくい出すための開口と、計量スプーンですくい出しすりきり計量を実施する時のすりきり場所となるすりきり板部Ｂ３を設けた容器Ｂの開口部へ被せ密封するポリエチレン樹脂材でできた容器の蓋Ａである。また、前記容器の蓋Ａは、上面の天板部１と、前記天板部１の外周から下端へ延出した環状の側壁部２からなる。
【００１９】
前記容器の蓋Ａには容器Ｂの開口部に設置した時に前記開口部に固着される固定蓋部５と上下の開閉が可能な開閉蓋部６とからなり、前記固定蓋部５と前記開閉蓋部６の境界位置で薄肉形状を有する第一薄肉部４ａを介して連結されたヒンジ部４を前記天板部１の裏面に設置するとともに、前記ヒンジ部４との延長線上の位置であって前記ヒンジ部４を起点として前記開閉蓋部６を開閉する時に側壁部２の２箇所に縦方向に切断できるように、図６に示すように薄肉形状を形成した第二薄肉部８ａを有する切断部８を側壁部２に設けてある。
【００２０】
また、前記固定蓋部５の裏面の前記ヒンジ部４と平行の位置で、前記ヒンジ部４に近接する位置の前記固定蓋部５側寄りに下端へ傾斜し延出した飛散防止カバー板３を設置する。前記飛散防止カバー板３は逆ハの字を形成し先端にいくほど細くなり、前記すりきり板部Ｂ３に接しやすいように、前記前記飛散防止カバー板３の中間付近から下端にむけて逆くの字型に傾斜し、前記すりきり板部Ｂ３上に前記飛散防止カバー板３の先端がのりあがり接する容器の蓋Ａを構成する。
【００２１】
図２及び図４、図５において、本発明の容器の蓋Ａを容器Ｂへ装着した場合の開閉状態を示す。例えば、粉ミルクやコーヒーなどが入った缶容器Ｂについては、前記容器Ｂの開口部が外巻きにカールしている外巻きカール部Ｂ１や図示していないが内巻にカールしている内巻きカール部を有する缶容器Ｂなどがある。また、前記缶容器Ｂには、粉ミルクなどの内容物を計量スプーンですくってすりきり必要量を計量するために、缶容器Ｂの開口部にすりきり機能をもつすりきり板部Ｂ３を有する缶蓋が装着された缶容器Ｂの開口部へ装着するための容器の蓋Ａであり、図２に示すとおり閉封状態の時は、外部からの湿気の浸入を防ぐために、例えば前記外巻きカール部Ｂ１と容器の蓋Ａの嵌合部７は密着性の高い構造を有する形状にしている。
【００２２】
また、図４及び図５に示すとおりヒンジ部４を起点として上方向に立ち上がり開口し、前記固定蓋部５が容器Ｂに装着したままで、前記開閉蓋部６が開いた状態になった時でも、前記飛散防止カバー板３の先端は前記すりきり板部Ｂ３の上にのりあがって接している状態を構成することで、缶容器Ｂから内容物を計量スプーンなどを使用して取りだす場合に前記すりきり板部Ｂ３にあててすりきり計量を実施した場合に、計量スプーン内で盛り上がっていた余分な内容物が前記飛散防止カバー板３でガードされて前記パネル部Ｂ２上にのりあがるのを防止し、前記内容物を容器Ｂ内へ落下させることができる上、内容物を取り出す際に前記容器の蓋Ａをホコリがついた机や水滴が付着している台所の台上へおく必要がないため衛生的な容器の蓋Ａを提供することができる。
【００２３】
図３において、前記飛散防止カバー板３の周辺を示す。前記飛散防止カバー板３については、容器の蓋Ａと一体成形により形成されるため、ポリエチレン樹脂で形成された前記飛散カバー板３は可撓性があるので、前記飛散カバー板３の先端が前記すりきり板部Ｂ３の上で接した時には前記飛散カバー板３の先端が撓り、前記すりきり板部Ｂ３と前記飛散カバー板３の先端はより密着しあう構造を有する。そのため、缶容器Ｂから内容物を計量スプーンなどを使用して取りだす場合に前記すりきり板部Ｂ３にあててすりきり計量を実施した場合に、計量スプーン内で盛り上がっていた余分な内容物が前記飛散防止カバー板３でガードされて前記パネル部Ｂ２上にのりあがるのを防止し、前記内容物を容器内へ落下させることができる。
【００２４】
図６乃至図９において、缶などの容器Ｂに巻き締められる缶蓋のパネル部Ｂ２に、粉ミルクやコーヒーなどの粉状、粒状の内容物を計量スプーンなどを利用して救い出すための開口と、計量スプーンですくい出しすりきり計量を実施する時のすりきり場所となるすりきり板部Ｂ３を設けた容器Ｂの開口部へ被せ密封するポリエチレン樹脂材でできた容器の蓋Ａである。また、前記容器の蓋Ａは、上面の天板部１と、前記天板部１の外周から下端へ延出した環状の側壁部２と、前記下壁部９と側壁部２の間を連結する第三薄肉部１１と、一端が前記下壁部９と一体に形成された切離用摘み部１０とからなる。
【００２５】
また、前記摘み部１０を周方向に摘むことにより前記第三薄肉部１１の位置で前記下壁部９が前記側壁部２から分離自在とする容器の蓋Ａであるので、前記下壁部９を拡張して容器Ｂの開口部へ圧入し装着することで、容器Ｂの外周径に沿って収縮した前記下壁部９が容器Ｂへ密着し、容器Ｂと前記下壁部９の密着部分に手指かけ空隙ができないため、本発明の容器の蓋Ａであれば容器Ｂに手指のかかりを防止するために形成される溝状の円周突起Ｂ４を設けている缶容器Ｂはもちろんのこと、容器Ｂに手指のかかりを防止するために形成される溝状の円周突起Ｂ４を設けていない缶容器にも装着することができ、無理矢理本発明である容器の蓋Ａを取り外そうとすれば、前記下壁部９と容器Ｂに破壊された傷跡が残るためイタズラ行為の有無を容易に知ることができる。
【００２６】
更に、前記容器の蓋Ａには容器Ｂの開口部に設置した時に前記開口部に固着される固定蓋部５と上下の開閉が可能な開閉蓋部６とからなり、前記固定蓋部５と前記開閉蓋部６の境界位置で薄肉形状を有する第一薄肉部４ａを介して連結されたヒンジ部４を前記天板部１の裏面に設置するとともに、前記ヒンジ部４との延長線上の位置であって前記ヒンジ部４を起点として前記開閉蓋部６を開閉する時に側壁部２の２箇所に縦方向に切断できるように、薄肉形状を形成した第二薄肉部８ａを有する切断部８を側壁部２に設けてある。
【００２７】
また、前記固定蓋部５の裏面の前記ヒンジ部４と平行の位置で、前記ヒンジ部４に近接する位置の前記固定蓋部５側寄りに下端へ傾斜し延出した飛散防止カバー板３を設置する。前記飛散防止カバー板３は逆ハの字を形成し先端にいくほど細くなり、前記すりきり板部Ｂ３に接しやすいように、前記前記飛散防止カバー板３の中間付近から下端にむけて前記固定蓋部５側寄りに傾斜し、前記すりきり板部Ｂ３上に前記飛散防止カバー板３の先端がのりあがり接する容器の蓋Ａを構成する。
【００２８】
次に、本発明の容器の蓋Ａを例として容器の蓋Ａを開封してから粉ミルクなどの被注出物を取りだすまでの動作の説明を行う。まず、容器の蓋Ａを前記摘み部１０を手指で摘んで、缶容器Ｂの外周に沿って引っぱることで前記第三薄肉部１１から前記下壁部９が切断される。開閉蓋部６を上方向に持ち上げることで、天板部１に設置されたヒンジ部４を起点として、側壁部２に設置された第二薄肉部８ａが引き裂かれて切断部８となり、図８及び図９に示すとおり前記切断部８における開閉蓋部６側の切断面となる係止部８ｂが容器Ｂの開口部の上端縁部Ｂ５に乗り上がり、前記開閉蓋部６は固定蓋部５と垂直の位置で静止し開口状態を維持できるので、内容物を取り出すときに片方の手で前記開閉蓋部６を押えておく必要がない上に、前記開閉蓋部６を開くときに無理な開き角度によるヒンジ部４からの割れを防止できる効果も有する。
【００２９】
また、図８及び図９に示すとおり前記開閉蓋部６は固定蓋部５と垂直の位置で静止し開口状態を維持できるので、前記すりきり板部Ｂ３を装着した缶容器Ｂに本発明の容器の蓋Ａを設置することで、容器の蓋Ａを手で押さえなくても、スプーンを使用して片手で粉ミルクなどの内容物をすくい、すりきる動作を行うことができる。
【００３０】
図１０及び図１３に飛散防止カバー板３１の異なる実施形態を示す。前記固定蓋部５の裏面の前記ヒンジ部４と平行の位置で、前記ヒンジ部４に近接する位置の前記固定蓋部５側寄りに下端へ傾斜し延出した飛散防止カバー板３１を設置する。前記飛散防止カバー板３１は逆ハの字を形成し先端にいくほど細くなり、前記すりきり板部Ｂ３に接しやすいように、前記前記飛散防止カバー板３１の中間付近から下端にむけてくの字型に傾斜し、前記すりきり板部Ｂ３上に前記飛散防止カバー板３１の先端がのりあがり接する容器の蓋Ａを構成する。
【００３１】
また、図１２に示すとおり前記飛散防止カバー板３１については、容器の蓋Ａと一体成形により形成されるため、ポリエチレン樹脂で形成された前記飛散カバー板３１は可撓性があるので、前記飛散カバー板３１の先端が前記すりきり板部Ｂ３の上で接した時には前記飛散カバー板３１の先端が撓り、前記すりきり板部Ｂ３と前記飛散カバー板３１の先端はより密着しあう構造を有する。そのため、缶容器Ｂから内容物を計量スプーンなどを使用して取りだす場合に前記すりきり板部Ｂ３にあててすりきり計量を実施した場合に、計量スプーン内で盛り上がっていた余分な内容物が前記飛散防止カバー板３１でガードされて前記パネル部Ｂ２上にのりあがるのを防止し、前記内容物を容器内へ落下させることができる。
【００３２】
更に、図１３に示すとおりヒンジ部４を起点として上方向に立ち上がり開口し、前記固定蓋部５が容器Ｂに装着したままで、前記開閉蓋部６が開いた状態になった時でも、前記飛散防止カバー板３１の先端は前記すりきり板部Ｂ３の上にのりあがって接している状態を構成することで、缶容器Ｂから内容物を計量スプーンなどを使用して取りだす場合に前記すりきり板部Ｂ３にあててすりきり計量を実施した場合に、計量スプーン内で盛り上がっていた余分な内容物が前記飛散防止カバー板３１でガードされて前記パネル部Ｂ２上にのりあがるのを防止し、前記内容物を容器Ｂ内へ落下させることができる上、内容物を取り出す際に前記容器の蓋Ａをホコリがついた机や水滴が付着している台所の台上へおく必要がないため衛生的な容器の蓋Ａを提供することができる。
【産業上の利用可能性】
【００３３】
本発明は、主に粉状、粒状などの内容物が密封包装されていているもの、たとえば、粉ミルクやコーヒーが入った缶容器など容器形状が筒状で、密封性を必要とする缶容器などに装着できる容器の蓋として利用できる。
【図面の簡単な説明】
【００３４】
【図１】本発明の実施形態を示す容器の蓋の断面図である。
【図２】同実施形態の容器の蓋を容器へ装着した状態を示す断面図である。
【図３】同実施形態の飛散防止カバー板周辺の断面図である。
【図４】同実施形態の開口状態を示す断面図である。
【図５】同実施形態の開口状態を示す平面図である。
【図６】本発明の異なる第一の実施形態を示す容器の蓋の平面図である。
【図７】図６の断面図である。
【図８】図６の容器の蓋を開封し開口状態を示す斜視図である。
【図９】図８に示す切断部周辺の斜視図である。
【図１０】飛散防止カバー板の異なる実施形態を示す断面図である。
【図１１】図１０の容器の蓋を容器へ装着した状態を示す断面図である。
【図１２】図１１の飛散防止カバー板周辺の断面図である。
【図１３】図１１の容器の蓋の開口状態を示す断面図である。
【符号の説明】
【００３５】
１      天板部
２      側壁部
３      飛散防止カバー板
３１    飛散防止カバー板
４      ヒンジ部
４ａ    第一薄肉部
５      固定蓋部
６      開閉蓋部
７      嵌合部
８      切断部      
８ａ    第二薄肉部
８ｂ    係止部
９      下壁部
１０    摘み部
１１    第三薄肉部
Ａ      容器の蓋
Ｂ      容器
Ｂ１    外巻きカール部
Ｂ２    パネル部
Ｂ３    すりきり板部
Ｂ４    突起
Ｂ５    上端縁部
【図１】
2008127077.tif 000003
【図２】
2008127077.tif 000004
【図３】
2008127077.tif 000005
【図４】
2008127077.tif 000006
【図５】
2008127077.tif 000007
【図６】
2008127077.tif 000008
【図７】
2008127077.tif 000009
【図８】
2008127077.tif 000010
【図９】
2008127077.tif 000011
【図１０】
2008127077.tif 000012
【図１１】
2008127077.tif 000013
【図１２】
2008127077.tif 000014
【図１３】
2008127077.tif 000015